(57)【要約】  【課題】操作の煩雑さを避けて、しかも尿のpH、尿糖、尿タンパク質、硫酸抱合型胆汁酸、乳酸、尿酸、クレアチン、クレアチニン、ヒト絨毛性性腺刺激ホルモンなどの尿中含有成分の測定表示機能を有する尿成分検知システムを提供する。  【解決手段】ガラス電極、金属電極およびカーボン電極の少くとも1種の電極と参照電極が組み込まれた尿成分検知部が便器内壁面に設置され、該尿成分検知部と分離された状態で設置されかつ受信部が組み込まれた測定結果表示部との間のデーターの送信が電磁波によって行われる尿成分検知システム。【特許請求の範囲】
【請求項１】
ガラス電極、金属電極およびカーボン電極の少くとも1種の電極と参照電極が組み込まれた尿成分検知部が便器内壁面に設置され、該尿成分検知部と分離された状態で設置されかつ受信部が組み込まれた測定結果表示部との間のデーターの送信が電磁波によって行われることを特徴とする尿成分検知システム。
【請求項２】
電極の周辺部に、検知成分と特異的に反応もしくは結合して電流を発生あるいは電極の電位を変化させる物質が配置されている請求項１記載の尿成分検知システム。
【請求項３】
検知成分と特異的に反応もしくは結合して電流を発生あるいは電極の電位を変化させる物質として、酵素、酵素-電子伝達体または抗体の少くとも1種が用いられた請求項２記載の尿成分検知システム。
【請求項４】
検知項目が尿のpH、尿糖、尿タンパク質、硫酸抱合型胆汁酸、乳酸、尿酸、クレアチン、クレアチニンおよびヒト絨毛性性腺刺激ホルモンの少くとも1種である請求項１または２記載の尿成分検知システム。
【請求項５】
表示の内容が尿のpH、尿中含有成分およびその濃度、それに対する説明ならびに対処法である請求項１または２記載の尿成分検知システム。
【発明の詳細な説明】
【技術分野】
【０００１】
本発明は、尿成分検知システムに関する。さらに詳しくは、尿のpHや尿中含有成分などの測定表示機能を有する尿成分検知システムに関する。
【背景技術】
【０００２】
尿は、タンパク質、核酸代謝の終末産物や中間代謝物などを含有し、それらの物質の出現状況をみることで、腎臓などの諸器官の機能や病態を知ることができるので、尿検査は各種疾患の推定、判定の重要な指標となっている。
【０００３】
従来の尿測定においては、例えば尿を一定量採取し、試験紙を用いて、その色の具合から病態を判断したりするのが一般的である。この他には、吸光光度計を用いた方法もあるが、測定のために特別な試薬を別途用意しなければならないという問題もある。
【０００４】
さらに、試験紙を用いる方法では、尿の採取、採取容器、試験紙の廃棄などの所定の必要動作を含むことから、全体的に操作が煩雑であり、また吸光光度計を用いる方法では、尿の採取は勿論のこと、装置や試薬にコストがかかり、また操作も煩雑であるという課題がみられる。特に、これらの方法における操作の煩雑さは、尿中含有成分測定による健康管理が重要であると各自認識しているにもかかわらず、一般への普及を妨げている最大の課題といえる。
【０００５】
また、本発明者らの1名によって、尿糖バイオセンサや尿中物質測定器または尿のpH測定器も提案されているが、これらは測定法それ自体であって、システム化されたものではなかった。半導体の１種であるイオン感応性電界効果型トランジスタ(ISFET)を用いて尿中物質を測定する記載があるが、この場合技術的にはより正確な測定のためには参照極が必要であり、以下の特許文献には記載されていない。この場合、システムとして考えてみても、重大な欠陥があると考えられる。また、イオン感応性電界効果型トランジスタを電極として用いる場合はコスト的にも高くなるという経済的課題もある。
【特許文献１】特開平９−１５９６４５号公報
【特許文献２】特開平１１−３１１６１５号公報
【発明の開示】
【発明が解決しようとする課題】
【０００６】
本発明の目的は、操作の煩雑さを避けて、しかも尿中含有成分などの測定表示機能を有する尿成分検知システムを提供することにある。
【課題を解決するための手段】
【０００７】
かかる本発明の目的は、ガラス電極、金属電極およびカーボン電極の少くとも1種の電極と参照電極が組み込まれた尿成分検知部が便器内壁面に設置され、該尿成分検知部と分離された状態で設置されかつ受信部が組み込まれた測定結果表示部との間のデーターの送信が電磁波によって行われる尿成分検知システムによって達成される。
【発明の効果】
【０００８】
本発明に係る尿成分検知システムを導入すれば、煩雑な操作なしで、尿から尿のpH、尿中含有物質である尿糖、尿タンパク質、硫酸抱合型胆汁酸、乳酸、尿酸、クレアチン、クレアチニン、ヒト絨毛性性腺刺激ホルモンなどの測定を容易に行なうことができ、その結果が受信部が組み込まれた測定結果表示部にデーターとして電磁波によって送信されるばかりではなく、測定結果表示部分に予め入力されていた対応データーにより、送信データーに対する説明や対処法が提供されるので、日常の健康状態を知ることができ、健康管理に役立てることができる。
【発明を実施するための最良の形態】
【０００９】
便器内壁面に設置される尿成分検知部には、ガラス電極、金属電極およびカーボン電極の少くとも1種の電極と参照電極が組み込まれており、尿中に含有される成分、例えば尿糖、尿タンパク質、硫酸抱合型胆汁酸、乳酸、尿酸、クレアチン、クレアチニン、ヒト絨毛性性腺刺激ホルモンなどの各成分を検知する場合には、これらの各成分と特異的に反応もしくは結合して電流を発生あるいは電極の電位を変化させる物質、より具体的には酵素、酵素-電子伝達体および抗体の少くとも1種が、電極の周辺部に配置されている。なお、参照電極としては、例えば銀・塩化銀電極、飽和カロメル電極などが用いられるが、製作の容易性から好ましくは銀・塩化銀電極が用いられる。
【００１０】
尿成分検知部は、尿成分に応答する各電極部、測定回路部、CPU、電磁波発信部、電池などを主要な構成要素としており、寿命がきた部分についてはその都度交換すればよい。検知の種類は、1項目でも多項目でもよく、多項目の場合には測定項目の切換式とすることができる。
【００１１】
尿のpHを測定する場合には、pHガラス電極が用いられ、Na+やK+などの金属イオン濃度を測定する場合には、Naイオン電極やKイオン電極が用いられる。尿のpHのみを測定する場合には、pHガラス電極の周辺部に特に配置されるものはなく、NaイオンやKイオン濃度を測定する場合も同様である。なお、金属電極としては、他にAu、Ag、Ni電極などが用いられる。これらの電極には、その電位を正確に測定するために参照電極の併設が必要である。
【００１２】
pHの測定や金属イオン濃度の測定以外に、前記の如き尿中含有有機成分を測定する場合には、各種電極の周辺部に尿中含有成分と反応してそれらを特異的に検出する物質、例えばグルコースオキシダーゼ、クレアチナーゼ、クレアチニナーゼ、ザルコシンオキシダーゼ、乳酸オキシダーゼ、尿酸オキシダーゼ、プロテアーゼ、グルタミン酸オキシダーゼ、胆汁酸硫酸スルフェターゼなどの酵素、これらの酵素とフェロセンまたはその誘導体、フェリシアン化カリウム、パラベンゾキノンなどの電子伝達体(メディエータ)との混合物または積層物、抗ヒト絨毛性性腺刺激ホルモン抗体などが配置され、検知成分と特異的に反応もしくは結合して電流を発生あるいは電極の電位変化を発生せしめ、それを測定する方式がとられる。これらの反応に用いられる電極にも、正確に測定するために参照電極の併設が必要である。
【００１３】
尿成分検知部の便器内壁面への設置は、両面テープ、吸盤、接着剤、磁石などの取付手段を用いてもよいし、また便器自体を加工して、ネジ止め、フッキング、静置などの手段を用いてもよい。また、尿成分検知部は、尿が一時的に検知部にとどまるような構造であることが望ましく、測定後は残尿が洗浄水で自動的に洗浄される位置に設置されることが望ましい。
【００１４】
一方、測定結果表示部は、電磁波受信部、CPU、表示部、電池などを主要な構成要素としており、寿命がきた部分についてはその都度交換すればよい。また、この表示部は、尿成分検知部と分離された状態、一般には便器設置個所の壁などに設置される。その設置方法としては、両面テープ、吸盤、接着剤、磁石、ネジ止め、フッキング、静置などの手段が用いられる。
【００１５】
表示の内容は、尿のpH、尿中含有成分の濃度や表示部に予め入力されていた対応データーにより行われる送信データーに対する説明や対処法であり、例えばpHが酸性を示す場合には、対処法として“野菜不足です。今日は野菜を食べましょう”などである。pH以外の表示項目としては、前記したような尿中含有成分量などが挙げられる。
【００１６】
測定の開始および終了は、手動によるボタン操作、赤外線などによる自動操作の形で、一時稼動もしくは常時稼動のいずれの状態でも行われる。
【手続補正書】
【提出日】平成16年7月27日(2004.7.27)
【手続補正１】
【補正対象書類名】特許請求の範囲
【補正対象項目名】請求項３
【補正方法】変更
【補正の内容】
【請求項３】
検知成分と特異的に反応もしくは結合して電流を発生あるいは電極の電位を変化させる物質として、酵素、酵素-電子伝達体および抗体の少くとも1種が用いられた請求項２記載の尿成分検知システム。
【手続補正２】
【補正対象書類名】特許請求の範囲
【補正対象項目名】請求項５
【補正方法】変更
【補正の内容】
【請求項５】
表示の内容が尿のpH、尿中含有成分およびその濃度、それに対する説明ならびに対処法の少なくとも１項目である請求項１または２記載の尿成分検知システム。
【手続補正３】
【補正対象書類名】明細書
【補正対象項目名】０００５
【補正方法】変更
【補正の内容】
【０００５】
また、本発明者らの1名によって、尿糖バイオセンサや尿中物質測定器または尿のpH測定器も提案されているが、これらは測定法それ自体であって、システム化されたものではなかった。半導体の１種であるイオン感応性電界効果型トランジスタ(ISFET)を用いて尿中物質を測定する記載があるが、この場合技術的にはより正確な測定のためには参照極が必要であり、以下の特許文献には記載されていない。この場合、システムとして考えてみても、重大な欠陥があると考えられる。また、イオン感応性電界効果型トランジスタを電極として用いる場合は、コスト的にも高くなるという経済的課題もある。
【特許文献１】特開平９−１５９６４５号公報
【特許文献２】特開平１１−３１１６１５号公報